(57)【要約】【課題】ホース内の残余燃料が不用意に漏れ出すのを有効に防止できる機構を備えた給油ポンプを提供する。【解決手段】燃料タンク側に固定されるポンプ本体部に対して、ホース部材３で連結されたノズル操作部５０。ノズル操作部５０は、ポンプの作動および停止を制御するスライド式のオン・オフスイッチ５５と、ホース部からノズル先端６１に至る流路の開閉を行なう開閉バルブ７０と、を備えている。開閉バルブ７０は、コイルスプリング７２によって閉位置に付勢されているが、ポンプを起動させるべくオン・オフスイッチ５５をオン位置へとスライド移動させたとき、当該スライド移動に連動して開位置へと移動する。【選択図】　図３
2004026242.tif 000002
【特許請求の範囲】
【請求項１】
燃料タンク（１１）側に固定されるポンプ本体部（１０）に対して、ホース部材（３）で連結されたノズル操作部（５０）であって、
当該ノズル操作部（５０）は、ポンプの作動および停止を制御するスライド式のオン・オフスイッチ（５５）と、ホース部からノズル先端（６１）に至る流路の開閉を行なう開閉バルブ（７０）と、を備えており、
上記開閉バルブ（７０）は、付勢手段（７２）によって閉位置に付勢されているが、ポンプを起動させるべくオン・オフスイッチ（５５）をオン位置へとスライド移動させたとき、当該スライド移動に連動して開位置へと移動することを特徴とする、ノズル操作部。
【請求項２】
上記開閉バルブ（７０）は、コイルスプリング（７２）によって閉位置へと付勢されていて、
上記オン・オフスイッチ（５５）がオン位置へとスライド移動するとき、当該スイッチに設けた突出部（５６）が開閉バルブ（７０）を押圧することで、開閉バルブ（７０）がコイルスプリング（７２）の付勢力に抗して開位置へと移動することを特徴とする、請求項１記載のノズル操作部。
【発明の詳細な説明】
【０００１】
【発明の属する技術分野】
本発明は、石油ストーブ等の暖房器具に対して、灯油等の燃料を補給するのに使用する給油ポンプに関する。さらに詳しくは、給油操作を行なうための操作部が石油ストーブ側（石油ストーブ本体またはカートリッジ）に挿入されるノズル部に配置された給油ポンプに関する。
【０００２】
【従来の技術および発明が解決しようとする課題】
家庭用の石油ストーブ等に対して灯油を補給するには、ポリタンク等に入れて購入した灯油を、給油ポンプを用いて、石油ストーブに（あるいは、付属のカートリッジに）供給するのが一般的である。そのような灯油の補給を手軽に行なうための電動式給油ポンプは、従来から知られている。
【０００３】
例えば実開昭５８−７０４８０号公報には、電動式の給油ポンプであって、石油ストーブ側に挿入されるノズル先端近傍に操作スイッチおよび液位センサを備えたものが開示されている。
【０００４】
このような電動式の給油ポンプにおいては、ポンプ駆動の制御をノズルを持つ手元において行なうことができ、給油作業を行ない易い等の利点がある。しかしながら、給油途中でポンプを停止させた場合に、ポンプ本体とノズル先端部とを連結ホース内に燃料が残存するので、ノズル先端を高く持ち上げる等して、ホース内に残った燃料をポリタンク側に戻してやるという面倒な作業が必要となる。そうしておかないと、ホース内の燃料がノズル先端から不用意に外部に漏れ出してしまうからである。
【０００５】
【課題を解決するための手段・作用・効果】
本発明は、上記従来の問題点に鑑みて創案されたものであって、ホース内の残余燃料がノズル先端から不用意に漏れ出すのを有効に防止できる機構を提供するものである。本発明により、以下の特徴を備えた給油ポンプのノズル操作部が提供される。
【０００６】
本発明に係る給油ポンプのノズル操作部は、燃料タンク側に固定されるポンプ本体部に対して、ホース部材で連結されている。このノズル操作部は、「ポンプの作動および停止を制御するスライド式のオン・オフスイッチ」と「ホース部からノズル先端に至る流路の開閉を行なう開閉バルブ」とを備えている。開閉バルブは、コイルスプリング等の付勢手段によって閉位置に付勢されているが、ポンプを起動させるべくオン・オフスイッチをオン位置へとスライド移動させたときに、当該スライド移動に連動して開位置へと移動する。
【０００７】
上記構成のノズル操作部においては、オン・オフスイッチをオンしてポンプを起動させると、ホース部からノズル先端に至る流路が開かれて、ポンプによって吸上げられた燃料を暖房器具側に供給することができる。一方、開閉バルブは、付勢手段によって閉位置に付勢されているので、ポンプを停止させるべくオン・オフスイッチをオフ位置に戻すと、これに連動して上記流路が閉じられる。
【０００８】
したがって、ポンプが停止している場合には、ホース部からノズル先端に至る流路は閉じられ、したがって、たとえホース内に燃料が残存していたとしても、これがノズル先端から不用意に外部に漏れ出すことはない。
【０００９】
【発明の実施の形態】
本発明の実施形態を、添付の図面を参照して以下に詳細に説明する。まず、給油ポンプ１の全体構成の概略を説明する。
【００１０】
給油ポンプ１の全体構成
図１は、本発明に係る給油ポンプの一例を示す正面図および側面図である。給油ポンプ１は、本体部１０とノズル操作部５０とをホース３で連結して構成される。図２に示したように、給油ポンプ１は、吸引機構１５を灯油に沈めるように本体部１０を灯油タンク１１に固定するとともに、ノズル操作部５０を石油ストーブ側（例えば、カートリッジ５１）に固定して、使用される。
【００１１】
ポンプは電池駆動されるが、その電池は、本体部１０に内蔵されている。また、ノズル操作部の要部断面図である図３に示したように、ノズル先端部６１には液位センサ６５が配置されている。液位センサ６５は、プリズムを利用した光学センサであって、これによって、カートリッジ５１内に適量の灯油を補給することが可能となる。
【００１２】
本体部１０内の電池室、吸引機構１５、および液位センサ６５は、電気配線によって電気的に接続されている。ノズル操作部５０に設けたスライド式のオン・オフスイッチ５５（図３参照）を操作すると、灯油タンク内の吸引機構部１５内の羽根車（不図示）がモータによって回転し、それにより灯油が吸い上げられて、カートリッジ５１へと供給される。なお、ノズルケース１６は、ポンプ本体１０を燃料タンク１１に固定した状態で、給油作業を中断する場合等に、ノズル６０を保持しておくのに使用される。
【００１３】
ノズル操作部
ノズル操作部５０は、図２に示したように、燃料タンク１１側に固定されるポンプ本体部１０に対して、蛇腹ホース３で連結されている。吸上げポンプの作動および停止を制御するオン・オフスイッチ５５は、このノズル操作部５０にスライド式に設けられている。したがって、ノズルを持つ手元において給油作業を容易に行なうことができる。
【００１４】
図３は、ノズル操作部５０の要部断面図を示している。この図では、オン・オフスイッチ５５はオフ位置にある。この位置から、スイッチ５５を図中左側のオン位置へとスライドさせると、スイッチ部材の裏側に設けた突起５７が金属板バネ５８を押圧して、タンク１１内の吸上げポンプが起動し、タンク１１内の灯油が吸上げられる。
【００１５】
燃料タンク１１内から吸上げられた灯油は、ホース内部空間３ａからノズル内部空間６０ａに至る流路を通って移動するが、当該流路の開閉を行なう開閉バルブ７０がノズル操作部５０内に配置されている。
【００１６】
開閉バルブ７０は、コイルスプリング７２（コイルスプリングに代えて、板バネ等の他の付勢手段を採用してもよい）によって閉位置に付勢されているが、ポンプを起動させるべくオン・オフスイッチ５５をオン位置へとスライド移動させたとき、スイッチ部材の裏面側に設けた突出部５６が開閉バルブ７０の先端を下方側へと押圧する。これにより、開閉バルブ７０は、その全体がコイルスプリング７２に抗して下方へと移動し、それまでバルブヘッド７１で閉じられていた流路が開く。すなわち、ポンプの起動と同時に、ホース内部空間３ａからノズル内部空間６０ａに至る流路が開く。
【００１７】
逆に、オン・オフスイッチ５５を図３に示したオフ位置へとスライド移動させると、コイルスプリング７２の付勢力によって、流路は閉じられる。なお、閉止状態における液密シールを確実とするために、バルブヘッド７１にはＯリング７３ａが取り付けられている。このようにして、吸上げポンプがオフ状態にあるとき、流路は閉じられた状態に維持される。したがって、給油作業の終了後に、ホース内に残留した灯油が不用意にノズル先端部から漏れ出すといった不都合は生じ得ない。言い換えると、給油作業の終了後に、ホース内に残存する灯油をタンク１１内へと逆流させるといった面倒な手間が省ける。
【００１８】
開閉バルブ７０は、ノズル操作部内に設けたガイド用突起７５に案内されて直線的にスライド移動して、上記の開閉動作を行なう。なお、スライド移動の間の液密シールを確保するためのＯリング７３ｂが開閉バルブ７０の軸部に取り付けられている。
【図面の簡単な説明】
【図１】本発明に係る給油ポンプを示す正面図および側面図である。
【図２】図１の給油ポンプの使用状態を示す説明図である。
【図３】図１の給油ポンプのノズル操作部の要部断面図である。
【符号の説明】
１　給油ポンプ
３　ホース
５ａ、ｃ　電気配線
１０　ポンプ本体部
１１　灯油タンク
１５　吸引機構
１６　ノズルケース
５０　ノズル操作部
５１　カートリッジ
５５　オン・オフスイッチ
５６　突出部
５７　突起
５８　金属板バネ
６０　ノズル
６１　ノズル先端
６５　液位センサ
７０　開閉バルブ
７１　バルブヘッド
７２　コイルスプリング
７３ａ、ｂ　Ｏリング
７５　ガイド用突起
【図１】
2004026242.tif 000003
【図２】
2004026242.tif 000004
【図３】
2004026242.tif 000005